(57)【特許請求の範囲】
【請求項１】
カード用シートにカード部を区画形成し、カード部裏面側に、透視可能な第１のフィルムを粘着剤で接着し、この第１のフィルムの前記カード用シートとは反対面側に、剥離処理を施して、粘着剤で透視可能な第２のフィルムを剥離可能に接着し、カード部の区画形成部にスリットを、前記カード用シートの表面側から第１のフィルムの裏面側に達するよう設け、このスリットの延長上には第２のフィルムの裏面に達するミシン目を設けたことを特徴とするラミネートカード用シート。
【請求項２】
カード用シートの表面側にカード情報表示部を有するカード部を区画形成し、カード部裏面側に、透視可能な第１のフィルムを粘着剤で接着し、この第１のフィルムの前記カード用シートとは反対面側に、剥離処理を施して、粘着剤で透視可能な第２のフィルムを剥離可能に接着し、カード部の区画形成部にスリットを、前記カード用シートの表面側から第１のフィルムの裏面側に達するよう設け、このスリットの延長上には第２のフィルムの裏面に達するミシン目を設けてなり、前記カード部とともに前記第１のフィルムを前記第２のフィルムから剥離し、上下反転して前記カード部表面側を前記第２のフィルムに接着した後、前記第２のフィルムの前記ミシン目を破断することにより、両面を透視可能なフィルムでラミネートしたカードとするラミネートカード用シートであって、前記第２のフィルムのラミネートカード作成時に前記カード情報表示部に対応する適所には、装飾模様を施したことを特徴とするラミネートカード用シート。
【発明の詳細な説明】
【０００１】
【発明の属する技術分野】
本発明は、両面を透視可能なフィルムで被覆保護したラミネートカードを形成するためのラミネートカード用シートに関する。
【０００２】
【従来の技術】
従来、この種のラミネートカード用シートとしては、第１に、カードの２倍のサイズの透視可能なフィルムの各半分側に、それぞれ接着剤を設けるとともに剥離紙で被覆したものが知られている。この第１のラミネートカード用シートは、一方の剥離紙を剥がして露出した半分側の接着剤面に、カードをその一面側で接着し、次いで、他方の剥離紙を剥がして残り半分側の接着剤を露出し、この残り半分のフィルムをカードに折り重ねて接着し、ラミネートカードとするものである。また、第２に、カードの２倍のサイズで裏面側に接着剤を設けるとともに剥離紙で被覆してなるカード基材の表面の半分側に、透視可能な２層のフィルムを剥離可能に疑似的に接着してなる表裏表出面に接着剤を設けた疑似接着フィルムの一面を接着し、他面の接着剤は剥離紙で被覆したものが知られている。この第２のラミネートカード用シートは、剥離紙を剥がして露出したフィルムの接着剤面に、カード基材の残り半分側を折り重ねて接着した後、疑似接着フィルムの疑似接着面を剥離して見開き状態とし、カード基材の裏面側の剥離紙を剥離して接着剤を露出して、カード基材を裏面側に二つ折りして接着することにより、ラミネートカードとするものである。
【０００３】
【発明が解決しようとする課題】
これら従来のラミネートカード用シートは、いずれも剥離紙が設けられているため、ラミネートカードを作成する際に不要となった剥離紙を廃棄しなければならないが、剥離紙は再生紙としてリサイクルするのが困難なので、ゴミとして処分されており、環境保護上好ましくないという不都合がある。本発明は、この不都合を解消するとともに、ラミネートカードを簡便に作成できるラミネートカード用シートを提供することを目的とする。
【０００４】
【課題を解決するための手段】
この目的を達成するために、本発明の請求項１に記載したラミネートカード用シートは、カード用シートにカード部を区画形成し、カード部裏面側に、透視可能な第１のフィルムを粘着剤で接着し、この第１のフィルムの前記カード用シートとは反対面側に、剥離処理を施して、粘着剤で透視可能な第２のフィルムを剥離可能に接着し、カード部の区画形成部にスリットを、前記カード用シートの表面側から第１のフィルムの裏面側に達するよう設け、このスリットの延長上には第２フィルムの裏面に達するミシン目を設けたものである。
【０００５】
また、同じく上記目的を達成するために、本発明の請求項２に記載したラミネートカード用シートは、カード用シートの表面側にカード情報表示部を有するカード部を区画形成し、カード部の裏面側に、透視可能な第１のフィルムを粘着剤で接着し、この第１のフィルムの前記カード用シートとは反対面側に、剥離処理を施して、粘着剤で透視可能な第２のフィルムを剥離可能に接着し、カード部の区画形成部にスリットを、前記カード用シートの表面側から第１のフィルムの裏面側に達するよう設け、このスリットの延長上には第２のフィルムの裏面に達するミシン目を設けてなり、前記カード部とともに前記第１のフィルムを前記第２のフィルムから剥離し、上下反転して前記カード部表面側を前記第２のフィルムに接着した後、前記第２のフィルムの前記ミシン目を破断することにより、両面を透視可能なフィルムでラミネートしたカードとするラミネートカード用シートであって、前記第２のフィルムのカード作成時に前記カード情報表示部に対応する適所には、表示したカード情報や貼付した写真を装飾するように、装飾模様を施したものである。
【０００６】
【発明の実施の形態】
以下、添付図面に基づいて本発明の好適な実施形態を説明する。ここにおいて、図１はラミネートカード用シートの平面図、図２は背面図、図３はカード情報を印字した状態における図１のＡ−Ａ線断面図、図４はカード部を剥離して反転後再接着した状態の断面図、図５は作成したラミネートカードの断面図、図６は同じく平面図である。
【０００７】
図１及び図２に示すように、ラミネートカード用シート１は、ミシン目２，３で分離可能に区画した入会申込片４と規約表示片５とカード用シート６とからなる。前記入会申込片４は、表面側が申込書となり、「○○友の会入会申込書」という標題７のほか、「○○友の会への入会を申し込みます」という申込文８、入会申込年月日記入欄９、申込者の住所記入欄１０、氏名記入欄１１、会員番号記入欄１２を設けている。また、前記入会申込片４の裏面側には、「○○友の会入会のご案内」という標題とともに、入会案内文１３を表示している。さらに、規約表示片５は、その表面側に「○○友の会規約」という標題を表示し、表裏面に規約１４を表示している。
【０００８】
図１に示すように、カード用シート６のカード部１６を区画する区画形成部にスリット１５を設けてカード部１６を区画形成し、このカード部１６には、表面側に、「○○友の会会員証」なる標題１７のほか、入会日記入欄１８、氏名記入欄１９、会員番号記入欄２０を設けている。これら各記入欄１８，１９，２０がカード情報表示部を構成する。図３で理解できるように、カード部１６の裏面側には、カード部１６より大きく透視可能な第１のフィルム２１を粘着剤２２で接着し、この第１のフィルム２１の前記カード部１６とは反対面側に、透視可能な剥離剤２３を設けて剥離処理をして、粘着剤２４で前記第１のフィルム２１とほぼ同一大の透視可能な第２のフィルム２５を剥離可能に接着している。
【０００９】
また、図３に示すように、カード部１６を区画形成するスリット１５は、カード用シート６の表面側から第１のフィルム２１の裏面にまで達するよう設け、このスリット１５の延長上には第２のフィルム２５の裏面（表出面）に達するミシン目２６を設けている。図２及び図３に示すように、前記第２のフィルム２５の前記ミシン目２６の内側に沿って、カード部１６に表示する後述のカード情報を装飾するための装飾模様２７を施している。
【００１０】
続いて、上述のように構成したラミネートカード用シート１からラミネートカードを作成する手順を説明する。まず、申込書の入会申込年月日記入欄９、申込者の住所記入欄１０、氏名記入欄１１、会員番号記入欄１２に、それぞれ所定の会員情報２８を記入するとともに、カード部１６の入会日記入欄１８、氏名記入欄１９、会員番号記入欄２０にもそれぞれ所定の情報であるカード情報２９を表示する（図３参照）。
【００１１】
次に、カード用シート６をミシン目２，３を破断して分離する。そして、スリット１５で区画された、カード部１６とこれに対応する第１のフィルム２１の部分を、剥離剤２３面において第２のフィルム２５から剥離し、上下反転して前記カード部１６のカード情報表示面を前記第２のフィルム２５に接着する。これによって、図４に示すように、カード部１６の表裏面は、前記各フィルム２１，２５で被覆された状態となる。前記接着は、カード部１６とフィルム２１を、剥離して抜けた部分に再び嵌め込んで行うので、正確に位置決めした状態でなされる。
【００１２】
さらに続いて、図４状態から第２のフィルム２５を、スリット１５の延長上に位置するミシン目２６を破断して、カード用シート６から分離することにより、図５に示すように、カード部１６の表裏両面を透視可能なフィルム２１，２５でラミネートしたカード３０となる。図６に示すように、このカード３０は、カード情報２９の周りを装飾模様２７で囲まれた状態にあり、見栄えもよいものとなる。
【００１３】
なお、本発明は上述した実施形態に限定されるものではなく、例えば、ラミネートカード用シート１は、カード用シート６を備えていればよく、入会申込片４と規約表示片５はなくてもよい。また、カード部１６は会員証に限らず、身分証明書などでもよい。また、カード情報２９の内容は、カード部１６の用途に応じて種々変更される。装飾模様２７は、カード部１６の周縁を全体的に縁取るほか、部分的に設けるものでもよく、例えば、カード部１６に写真を貼付する場合は、写真に対応する部分に設ければよい。さらに、この装飾模様２７は設けなくてもよい。
【００１４】
【発明の効果】
以上説明したように、本願発明の請求項１に記載したラミネートカード用シートによれば、剥離紙を使用しないので、ラミネートカード作成後に不要となった部分の廃棄処理を、通常の紙と同様に行うことができ、また、特別な装置を用いることなく、簡便にラミネートカードを作成できるという効果を奏する。
【００１５】
また、本願発明の請求項２に記載したラミネートカード用シートによれば、上述の効果に加えて、ラミネート用のフィルムに装飾模様を施すことによって、装飾性が高まって、見栄えがよくなり、カードとしての価値もあがるという効果を奏する。
【図面の簡単な説明】
【図１】ラミネートカード用シートの平面図。
【図２】同じく背面図。
【図３】カード情報を印字した状態における図１のＡ−Ａ線断面図。
【図４】カード部を剥離して反転後再接着した状態の断面図。
【図５】作成したラミネートカードの断面図。
【図６】同じく平面図
【符号の説明】
１      ラミネートカード用シート
６      カード用シート
１５      スリット
１６      カード部
１８      入会日記入欄
１９      氏名記入欄
２０      会員番号記入欄
２１      第１のフィルム
２２，２４      粘着剤
２３      剥離剤
２５      第２のフィルム
２６      ミシン目
２７      装飾模様
２９      カード情報
３０      ラミネートカード
【図１】
0003787272.tif 000002
【図２】
0003787272.tif 000003
【図３】
0003787272.tif 000004
【図４】
0003787272.tif 000005
【図５】
0003787272.tif 000006
【図６】
0003787272.tif 000007